(57)【要約】【課題】  非対称の電磁気駆動構造の超薄型モバイル光記録再生装置用のアクチュエータを提供する。【解決手段】  ホルダと、入射光を集束させる対物レンズが搭載された可動部と、ホルダと可動部間に設けられ、ホルダに対して可動部を動けるように支持する支持部と、可動部と可動部の上部及び／または下部にかけて設けられ、可動部を光記録媒体のトラック方向及びフォーカス方向に駆動させる磁気駆動部とを含む。【選択図】      図２
2005203091.tif 000002
【特許請求の範囲】
【請求項１】
ホルダと、
入射光を光記録媒体に集束させる対物レンズが搭載された可動部と、
前記ホルダと前記可動部との間に設けられ、前記ホルダに対して前記可動部を動けるように支持する支持部と、
前記可動部と前記可動部の上部及び／または下部とにかけて設けられ、前記可動部を前記光記録媒体のトラック方向及びフォーカス方向に駆動させる磁気駆動部とを含むことを特徴とするモバイル光記録再生装置用のアクチュエータ。
【請求項２】
前記磁気駆動部は、
前記可動部から所定間隔離隔されたまま、その上部及び／または下部に少なくとも一部が位置する支持プレートと、
所定方向への磁場を形成するマグネットと、
前記マグネットとの相互作用により、前記可動部を駆動させるコイル部材とを含み、
前記マグネットとコイル部材のうちいずれか一つは前記支持プレートに設けられ、他の一つは対応する位置の前記可動部に設けられたことを特徴とする請求項１に記載のモバイル光記録再生装置用のアクチュエータ。
【請求項３】
前記支持プレートは、
一端が前記ホルダに固定され、前記可動部の両側それぞれに位置し、通電経路として利用される１対のサイドプレートと、
前記１対のサイドプレート上部に設けられ、前記可動部上に所定間隔離隔されたままで配置される上部プレートと、
前記１対のサイドプレート下部に設けられ、前記可動部下部に所定間隔離隔されたままで配置される下部プレートとを含むことを特徴とする請求項２に記載のモバイル光記録再生装置用のアクチュエータ。
【請求項４】
前記マグネットは、前記可動部の所定位置に設けられ、
前記コイル部材は、前記マグネットと対向されるように前記上部プレート及び下部プレートに設けられることを特徴とする請求項３に記載のモバイル光記録再生装置用のアクチュエータ。
【請求項５】
前記コイル部材は、
前記上部及び下部プレートそれぞれに設けられ、前記可動部をトラック方向に駆動するのに利用される１対のトラックコイルと、
前記１対のトラックコイルそれぞれの両側に設けられ、前記可動部をフォーカス方向に駆動するのに利用される複数のフォーカスコイルとを含むことを特徴とする請求項４に記載のモバイル光記録再生装置用のアクチュエータ。
【請求項６】
前記コイル部材は、
前記上部及び下部プレートそれぞれにパターニングにより形成された微細パターンコイルであることを特徴とする請求項３ないし請求項５のうちいずれか一項に記載のモバイル光記録再生装置用のアクチュエータ。
【請求項７】
前記マグネットは、
二分極されたことを特徴とする請求項２ないし請求項５のうちいずれか一項に記載のモバイル光記録再生装置用のアクチュエータ。
【請求項８】
前記マグネットは、
前記光記録媒体のトラック方向またはフォーカス方向に磁化された第１マグネットと、
前記第１マグネットと隣接配置され、前記第１マグネットの磁化方向と反対方向に磁化された第２マグネットとを含むことを特徴とする請求項７に記載のモバイル光記録再生装置用のアクチュエータ。
【請求項９】
前記支持部は、
前記可動部の両側それぞれに設けられ、前記可動部を動けるように支持する１対の板バネからなることを特徴とする請求項１ないし請求項５のうちいずれか一項に記載のモバイル光記録再生装置用のアクチュエータ。
【請求項１０】
対物レンズが搭載された可動部と、
前記可動部に設けられたマグネットと、前記可動部の上部及び／または下部にかけて設けられた少なくとも１つのコイルとを備え、前記可動部を前記光記録媒体のトラック方向及びフォーカス方向に駆動させる磁気駆動部とを含むことを特徴とするモバイル光記録再生装置用のアクチュエータ。
【請求項１１】
前記少なくとも１つのコイルは、細くなるようにパターニングにより形成されたことを特徴とする請求項１０に記載のモバイル光記録再生装置用のアクチュエータ。
【発明の詳細な説明】
【技術分野】
【０００１】
本発明は、モバイル光記録再生装置用のアクチュエータに係り、さらに詳細には非対称の電磁気駆動構造の超薄型モバイル光記録再生装置用のアクチュエータに関する。
【背景技術】
【０００２】
最近になって、光記録媒体を利用したモバイル光記録再生装置が急速に増加するにつれ、光記録媒体の高密度化に対する研究が加速化されている。このモバイル光記録再生装置は、高密度で記録された情報を再生しつつも、携帯便利性を考慮して小型化されることが要求される。このような要求を満足するために、光記録再生装置に採用されて対物レンズをフォーカス駆動及びトラック駆動するアクチュエータを超小型化及びスリム化する必要がある。
【０００３】
図１を参照するに、従来のモバイル光記録再生装置用の超小型アクチュエータは、駆動アーム１１の端部に設けられた固定部１３と、トラック方向（Ｘ軸方向）とフォーカス方向（Ｙ軸方向）とに動けるように設けられた可動部１５と、可動部１５を磁気駆動させる磁気駆動部２０と、固定部１３に対して可動部１５を動けるように支持すると共に通電経路として利用されるサスペンサ１７とを含む。可動部１５には、入射光を集束させる対物レンズ１６が設置されている。
【０００４】
磁気駆動部２０は、磁気回路を構成するヨーク２１及びマグネット３、可動部１５の両側に設けられる２個のフォーカスコイル（図示せず）、及び４個のトラックコイル２５を含む。ここで、コイルは、可動部１５の側壁に設けられている。サスペンサ１７は、４本のワイヤより構成され、固定部１３に対して可動部１５を対称的に支持する。
【０００５】
このように構成されたモバイル光記録再生装置用のアクチュエータは、典型的な４本のワイヤを利用した対称形構造であり、小型化構成のために狭い空間に複数のコイルを含んだ構成部品が配置される。特に、各構成部品は、可動部の側面にワイヤの長手方向に配列されるので、各構成部品が占有する空間が稠密になる。これにより、アクチュエータ特性が劣化するという問題点がある。また、このように構成する場合には、アクチュエータの高さがほぼ４ｍｍないし５ｍｍであり、それ以下に構成することが実質上困難であるという短所がある。
【０００６】
そして、従来のアクチュエータは、磁気駆動部にトラックコイルとフォーカスコイルとを備えた構造であり、フォーカス方向及びトラック方向への制御だけ行えるだけであり、チルト駆動手段は設けられておらず、高密度記録再生を行うのに限界がある。
【発明の開示】
【発明が解決しようとする課題】
【０００７】
本発明は、前記のような点を勘案して案出され、磁気駆動部の配置を変更し、ほぼ２．３ｍｍの高さを有する小型スリム化を具現しつつも、各構成部品の配置空間を確保することによって劣化を防止できるようにすると共に、チルト駆動の可能な構造のモバイル光記録再生装置用のアクチュエータを提供するところにその目的がある。
【課題を解決するための手段】
【０００８】
前記の目的を達成するために、本発明によるモバイル光記録再生装置用のアクチュエータは、ホルダと、入射光を光記録媒体に集束させる対物レンズが搭載された可動部と、前記ホルダと前記可動部との間に設けられ、前記ホルダに対して前記可動部を動けるように支持する支持部と、前記可動部と前記可動部の上部及び／または下部とにかけて設けられ、前記可動部を前記光記録媒体のトラック方向及びフォーカス方向に駆動させる磁気駆動部とを含むことを特徴とする。
【０００９】
ここで、磁気駆動部は、前記可動部から所定間隔離隔されたまま、その上部及び／または、下部に少なくとも一部が位置する支持プレートと、所定方向への磁場を形成するマグネットと、前記マグネットとの相互作用により、前記可動部を駆動させるコイル部材とを含み、前記マグネットとコイル部材のうちいずれか一つは、前記支持プレートに設けられ、他の一つは対応する位置の前記可動部に設けられたことを特徴とする。
【発明の効果】
【００１０】
本発明によるアクチュエータは、パターンコイルを採用することにより、コイルとマグネットとのギャップをほぼ０．３５ｍｍ以内に形成でき、下部プレートの底面から前記対物レンズまでの高さをほぼ２．２ｍｍ以内に大幅スリム化できる。
【００１１】
また、４個のフォーカスコイルを通した電磁石を具現してフォーカス制御を行う構造を採用することにより、他の構成要素の追加なしにフォーカスコイルを利用した対物レンズのチルト制御が可能であるという利点がある。
【発明を実施するための最良の形態】
【００１２】
以下、添付図面を参照にしつつ、本発明の実施例を詳細に説明する。
【００１３】
図２及び図３を参照するに、本発明の実施例によるアクチュエータは、ホルダ３５と、可動部４１と、ホルダ３５に対して可動部４１を動けるように支持する支持部４５と、少なくとも一部が可動部４１の上下に位置し、電磁力により可動部４１を駆動する磁気駆動部５０とを含む。可動部４１の一端部には、入射光を光記録媒体Ｄに集束させる対物レンズ４３が搭載されており、この対物レンズ４３は、フォーカス方向Ｆ及びトラック方向Ｔに駆動されつつ、入射光を集束させて光記録媒体Ｄに光スポットを形成させる。
【００１４】
ホルダ３５は、駆動アーム３１の端部に結合設置され、その一部に支持部４５が結合設置される。ここで、駆動アーム３１は、本発明によるアクチュエータ全体を光記録媒体Ｄの半径方向に駆動する。
【００１５】
支持部４５は、ホルダ３５と可動部４１との間に設けられ、ホルダ３５に対して可動部４１を動けるように支持する。この支持部４５は、可動部４１の両側それぞれに設けられ、可動部４１を動けるように支持する１対の板バネ４６，４７からなることが望ましい。この板バネ４６，４７は、インサート方式でホルダ３５と可動部４１との間に設けられる。かかる構造を有すると共に、可動部４１を通電経路として利用しないことにより、その構成を単純化でき、組立て工数及び組立て誤差を減らすことができるという利点がある。また、板バネ４６，４７の内部に空間４６ａ，４７ａを形成させることにより、フォーカシング動作を円滑に行わせる。
【００１６】
磁気駆動部５０は、その一部は、可動部４１に設けられ、残りは、可動部４１の上部及び／または下部にかけて設けられる。この磁気駆動部５０は、可動部４１を前記光記録媒体Ｄのトラック方向Ｔ及びフォーカス方向Ｆに駆動させる。
【００１７】
この磁気駆動部５０は、支持プレート６０と、この支持プレート６０と可動部４１にかけて形成されて相互作用により駆動力を発生させるマグネット７１及びコイル部材７５とを含む。
【００１８】
支持プレート６０は、可動部４１から所定間隔離隔されたまま、少なくともその一部が可動部４１の上部及び／または下部に位置する。この支持プレート６０は、１対のサイドプレート６１，６２、上部プレート６３、及び下部プレート６４を備えることが望ましい。
【００１９】
１対のサイドプレート６１，６２は、ホルダ３５にその一端が固定され、可動部４１の両側それぞれに他端が位置し、コイル部材７５に電流を印加するための通電経路として利用される。
【００２０】
上部プレート６３は、サイドプレート６１，６２の上部に設けられ、可動部４１上に所定間隔離隔されたまま配置される。下部プレート６４は、サイドプレート６１，６２の下部に設けられ、可動部４１の下部に所定間隔離隔されたまま配置される。この上部及び下部プレート６３，６４には、通電経路が設けられている。この通電経路は、連結部６１ａ，６２ａ，６３ａ，６４ａをハンダ付けなどにより、サイドプレート６１，６２と電気的に連結することによって形成される。
【００２１】
マグネット７１は、可動部４１の所定位置４２に設けられ、コイル部材７５は、マグネット７１と対向されるように上部及び下部プレート６３，６４に設けられる。
【００２２】
マグネット７１は二分極され、前記光記録媒体Ｄのフォーカス方向Ｆに磁化された第１マグネット７２と、第１マグネット７２の磁化方向と反対の方向に磁化された第２マグネット７３とを含む。ここで、第１マグネット７２と第２マグネット７３とは、相互隣接するように配置されている。一方、第１及び第２マグネット７２，７３は、前記光記録媒体Ｄのトラック方向Ｔに磁化された状態で上下方向に互いに隣接するように配置される構成も可能である。
【００２３】
このように、第１及び第２マグネット７２，７３を構成した場合、例えば図４に示されたような磁極方向を有する時、矢印で図示されたように上下方向への磁場方向を有する。
【００２４】
コイル部材７５は、１対のトラックコイル７６ａ，７６ｂ及び複数のフォーカスコイル７７ａ，７７ｂ，７７ｃ，７７ｄを含む。１対のトラックコイル７６ａ，７６ｂそれぞれは、上部及び下部プレート６３，６４それぞれに設けられ、可動部４１をトラック方向Ｔに駆動するのに利用される。複数のフォーカスコイル７７ａ，７７ｂ，７７ｃ，７７ｄそれぞれは、トラックコイル７６ａ，７６ｂそれぞれの両側に設けられ、可動部４１をフォーカス方向Ｆに駆動するのに利用される。ここで、コイル部材７５は、上部及び下部プレート６３，６４それぞれにパターニングにより形成された微細パターンコイルであることが望ましい。前記微細パターンコイルは、金属メッキとエッチング工程によりなされる。このように、微細パターンコイルを採用することにより、全体厚さとサイズとを小型化すると共に組立て性を改善できる。
【００２５】
前記のように構成された磁気駆動部５０は、フォーカス方向Ｆへの駆動はソレノイド力により駆動され、トラック方向Ｔへの駆動はローレンツ力により駆動される。この磁気駆動部５０の動作を図４及び図５を参照しつつ詳細に説明する。
【００２６】
図４を参照するに、フォーカス駆動時には、マグネット７１と上部プレートとに設けられたフォーカスコイル７７ａ，７７ｂ、及び下部プレートに設けられたコイル７７ｃ，７７ｄ間の相互電磁力を利用する。
【００２７】
ここで、フォーカスコイル７７ａ，７７ｂ，７７ｃ，７７ｄは、円筒状に巻かれた構造よりなり、そのコイルに電流を印加する場合、各コイルは電磁石になり、第１及び第２マグネット７２，７３との相互作用によって、マグネット７１が設けられた可動部は上方向（印加電流の方向を変える場合は下方向）に力を得る。従って、対物レンズをフォーカス駆動できる。ここで、左側に位置したフォーカスコイル７７ａ，７７ｃと右側に位置したフォーカスコイル７７ｂ，７７ｄとを分け、電流の印加方向を独立的に設定する場合、フォーカス駆動だけではなくチルト駆動も可能である。
【００２８】
図５を参照するに、トラック駆動時には、マグネット７１と上下部プレートにそれぞれ設けられたトラックコイル７６ａ，７６ｂ間の相互電磁力を利用する。この時、トラックコイル７６ａ，７６ｂは四角形を有し、このトラックコイル７６ａ，７６ｂに電流を印加する場合、フレミングの左手法則によって磁場の方向及び印加された電流方向と垂直な方向にローレンツ力が作用しつつ、可動部４１をトラック方向に駆動する。図面は、可動部４１が左側方向にトラック駆動されるのを例に挙げて表し、印加される電流方向を変えた場合、右にトラック駆動される。
【００２９】
このように、アクチュエータを構成した場合におけるアクチュエータのフォーカス駆動感度について述べれば、ＤＣでは約０．５ｍｍ／Ｖであり、２００ＨｚのＡＣでは約８５μｍ／Ｖである。そして、アクチュエータのトラック駆動の感度について述べれば、ＤＣでは約１．１ｍｍ／Ｖであり、２００ＨｚのＡＣでは約１１０μｍ／Ｖである。
【００３０】
前記の実施例は例示的なものに過ぎず、当技術分野の当業者ならば、これから多様な変形及び均等な他実施例が可能であろう。従って、本発明の真の技術的保護範囲は、特許請求の範囲に記載された発明の技術的思想によって決まるものである。
【産業上の利用可能性】
【００３１】
本発明によるアクチュエータは、非対称の電磁気駆動構造を有し、モバイル光記録再生装置などの産業分野に適用できる。
【図面の簡単な説明】
【００３２】
【図１】従来のモバイル光記録再生装置用のアクチュエータを示す概略的な斜視図である。
【図２】本発明の実施例によるモバイル光記録再生装置用のアクチュエータを示す概略的な斜視図である。
【図３】図２の分離斜視図である。
【図４】図２及び図３に示された本発明の実施例によるフォーカス駆動原理を説明するための図である。
【図５】図２及び図３に示された本発明の実施例によるトラック駆動原理を説明するための図である。
【符号の説明】
【００３３】
３１    駆動アーム
３５    ホルダ
４１    可動部
４２    所定位置
４３    対物レンズ
４５    支持部
４６，４７  板バネ
４６ａ，４７ａ  空間
５０    磁気駆動部
６０    支持プレート
６１，６２  サイドプレート
６１ａ，６２ａ，６３ａ，６４ａ  連結部  
６３，６４  下部プレート
７１    マグネット
７２，７３  第１及び第２マグネット
７５    コイル部材
７６ａ  トラックコイル
７７ａ，７７ｂ  フォーカスコイル
Ｄ      光記録媒体
【図１】
2005203091.tif 000003
【図２】
2005203091.tif 000004
【図３】
2005203091.tif 000005
【図４】
2005203091.tif 000006
【図５】
2005203091.tif 000007